(57)【要約】      （修正有） 【課題】大量のズボンを如何にコンパクトに収納し、便利で取り扱いが容易な家具にするためのハンガー形状及びその設置方法と、該ハンガーを活用したズボンを主に収納するハンガーボックスを提供する。【解決手段】スベリ止め４を備えたＵ字型（三角形）ハンガー１と取付金具２で取付た支持基板３及び小物入れ５とバンド吊りロッド６から構成する収納ボックス７，各部材とも目的に応じた機能を持つ部材の組み合わせから成り立ち、多量のズボンを簡単に整理収納できることを特徴とする。なお小物入れとバンド吊りロッドの設置より、ズボンに関する全てのものを同時に収納出来るとともに、スクリーン８で覆いしキャスター９で移動可能なハンガーボックス。【選択図】図１
0003117513.tif 000002
【実用新案登録請求の範囲】
【請求項１】
一本の金属線を横Ｕ字型に曲げて形成された上下ロッドと、この上下ロッドの両先端を下向きに曲げて形成された差し込み軸とでハンガー本体を構成し、支持基板の上側に取付られると共に、長手方向に上下片共に多数の丸孔を有する上下片及びそれを連ねる縦片とでなしたコ字型取付金具と、支持基板の下側取付られる前記コ字型金具の丸孔に対応した丸孔を有する上片及び縦片とでなるＬ型取付金具と、更に前記コ字型金具の上下片にある任意の丸孔にハンガー本体の上ロッドの差込軸を差し込み、且つＬ型取付金具の上片の丸孔にハンガー本体の下ロッドの差込軸を差し込んで該軸を中心に該ハンガー本体が水平方向に反転自在となるようにしたことを特徴としたハンガー装置。
【請求項２】
ハンガー本体の上ロッドに衣服のスベリ止め用スリーブを備えたことを特徴とした請求項１記載のハンガー装置。
【請求項３】
支持基板を橋渡して固定する前後板と、この前後板を連ねる底板とで上方及び支持基板と反対面を開口とした出し入れ自在で、しかも底板にはキャスターを取付移動できる収納ボックスを構成したことを特徴とした請求項１〜２記載のハンガー装置。
【請求項４】
収納ボックスの前板裏面に小物入れ部及び該小物入れ部の下面にバンド吊り金具を装備したことを特徴とした請求項１〜３記載のハンガーボックス。
【請求項５】
収納ボックスの開口面をスクリーンにて覆うことを特徴した請求項１〜４記載のハンガーボックス。
【考案の詳細な説明】
【技術分野】
【０００１】
本考案は、金属線からなるハンガーと此れを活用した主にズボンの収納ハンガーボックス
に関する。
【背景技術】
【０００２】
従来のハンガーは、洋服ダンスに対応した釣り下げ型が多い中、固定式のズボン専用のハンガー考案されている。
下記の文献１は、ズボン吊り用ハンガーのみ公知であって、収納全体に関して何ら公知されたものは無い、その公知されたハンガーはＵ字型のロッド、１本１本、１本のバネ付きネジで固定そのＵ字型ロッドを回転させ、水平で上部ロッドに２つ折りしたズボンを引っかけ、垂直に回転し下部ロッドで挟みずれ落ちを防止することを特徴とするものが公知されている。
文献２は、洋服掛けとズボン掛けと一体型の衣装収納具で、上段に洋服、下段にズボン吊りと成っており、ズボンハンガー部は木製の脱着型で、支持基台に必要に応じてはめ込み使用するものが公知されているが、ハンガー部も木製あるため部材が大きく間隔が広く、又洋服とズボンとのバランスの関係が煩雑となり多数のものが収納し難く覆いもないものが公知されている。
【特許文献１】実開  平０５−００７５１６号
【特許文献２】実開  平５―３７１４６号
【考案の開示】
【考案が解決しようとする課題】
【０００３】
文献１のハンガーは回転式のためハンガーとハンガーとの巾が、上下ロット巾と余巾が必
要、ロットが１本のネジカン１点で支えているためそこに大きなモーメントが働くため、
２枚重ね等重いものは掛けられない、しかも何回も繰り返し使用することにより破損しや
すい可能性が大、又ネジカン部にバネが仕込まれているため大きく長いものとなり、また
固定用の切り込みがあるため、支持基板が相当厚手ものとなり、既存の洋服タンス等（ベ
ニヤ）には取り付け難く、大量の数量を収納は難しいと思われる、且つズボン吊り込み手
順が先ずズボンを２つに折り、ロットを引っ張る、水平に回転させる、ズボンを引っ掛け
る、ロットを垂直に戻し、固定溝にはめ込む、の６つの手順が必要、尚２つ折りの際上下
ロットでの摩擦力が小さいため、左右の重さのバランスを考慮しながら折らねばならない
ことと、ハンガーが固定されているため必要な品選びがし難い等の課題がある。
【０００４】
文献２は、ハンガーが木製あるため部材が大きく間隔が広く必要とし、又洋服類とズボン
との上下のバランス関係で多数のものが収納し難く、覆いが無く埃、防虫対策が出来ない
【課題を解決するための手段】
【０００５】
以上の課題を解決するために本考案は、大量のズボンをコンパクトにしかも簡単に収納す
るためズボン専用の収納ボックスを考案した。
【考案の効果】
【０００６】
〔請求項１〕によりズボンハンガーをＵ字型（三角形）とし、ハンガー間隔をロッド径と
生地厚と僅かな余巾の詰めた間隔で設置が出来、ハンガーが三角形状でコ字型取付金具の
上片と下片の２点、及びＬ型金具上片での３点で支持するため力が分散され堅固なり、ハ
ンガーと取付金具と支持基板が一体となるため一層の堅固なものとなる、連結構造が簡単
でありビス及び木ネジで締結できる厚みの支持基板でよく収納ボックスの一部として取付
られ構成されることにより大量のズボンを収納できる、ハンガー本体の端部を自由端とな
っているため左右に振ることができることにより、詰められた間隔でもハンガー単体間に
余裕巾が出来、ズボン掛け込み、柄選びがし易くなる、加えてズボンの吊り込み手順とし
てはズボンを２つにおりロッド上部に吊り込む２つだけの手順でよい。
〔請求項２〕によりハンガー上部ロッドに摩擦力の大きいスベリ止めを備えているため、
２つ折りのさい左右のバランスの考慮をあまり必要としない、
【０００７】
〔請求項３〕により、ズボン収納ボックスの高さはズボン２つ折りの長さと底板厚とキャ
スター高さ、巾はハンガー長さと支持基台厚＋取り付け金具厚の最小お寸法、長さは用途
によって自由、底部のキャスターで移動が容易な、必要最小限のコンパクトな収納ボック
スが出来る。
〔請求項４〕により小物入れ、バンド類用のロッドを設置さているために、ズボンと同時
にズボンポケット内の小物とバンド等が整理収納され、防虫剤と芳香剤も備えられる。  
〔請求項５〕によりボックスの開口部がスクリーンで覆われるため、ホコリでの汚れ防止
及び防虫剤の効果も有効となり、掛けられたズボン等内部のものが隠され、見た目がスッ
キリしたものとなる。
【考案を実施するための最良の形態】
【０００８】
以下、本案件の実施例について、添付図面を参照して説明する、
実施例１  図１は、本案件の全体を示し、ハンガー１、取付金具２，支持基板３、スベリ
止め４、小物入れ５、バンド吊り６，収納ボックス７、スクリーン８、キャスター９それ
ぞれの詳細な各部品を組み立てた完成斜図である。
【０００９】
実施例２  図２は、ハンガー１の上ロッド１ａと軸部１ｂ下ロッド１ｃ軸部１ｄ、取付金
具２のコ字型金具２ａとＬ字型金具２ｂの加工図、及び支持基台３との組み立てを斜視図
した、ハンガー上下ロッド端部の直角の曲げられた軸部１ｂ，1ｄを、それぞれコ字型金
具２ａ、L字型金具２ｂに開けられた丸孔に差し込み自由端とする。
【００１０】
図３は、ハンガー１、取付金具２、支持基板３の組み立てを図示したものである。
ロッド軸部１ｂ、４ｄが支持金具２a、２ｂと接合された状態、及び支持金具と支
持基板がビス及び木ネジ２ｃで結合されハンガーが一体化されている状態の断面図、尚上
ロッドにスベリ止めが備えられているのも図示した。
【００１１】
図４は、ハガー上ロッド軸部とコ字取付金具の接続を示した正面図
【００１２】
図５ハガー下ロッド軸部とＬ字取付金具の接続を示した平面図
【００１３】
図６は、小物入れ４とバンド吊りロッド５の位置関係を、斜図で示したものである。
小物入れ下の空間を、バンド類の収納に活用しコンパクトな収納ボックスとした。
【００１４】
１０a、１０b
図７は、ズボン吊り込みのため、目的のハンガー１以外のハンガーを、左右にズボン群１
０a、１０bを振り分けて広げ掛け易くし、また順繰りにハンガーを手繰って広げ必要なズ
ボンを選び出しやすくした状況を斜図したものである。
【００１５】
図８は、収納ボックスの開口部を、スクリーン７で覆った状態を斜図したものである。
【図面の簡単な説明】
【００１６】
【図１】本案件の全体の斜視図である。
【図２】ハンガーとなるロッド及びＣ型Ｌ型取り付け金具と基盤台との組み立て斜図。
【図３】ハンガー、取付金具、基盤台との接続側面図。
【図４】ハガー上ロッド軸部とコ字取付金具接続平面図
【図５】ハガー下ロッド軸部とＬ字取付金具接続平面図
【図６】側面の小物入れとバンドつり状態の斜視図。
【図７】ハンガーを左右に開きズボンを掛け易くした状態の斜視図。
【図８】ズボン等の収納後、ボックスをスクリーンで覆いしている状態を斜視図した。
【符号の説明】
【００１７】
１    ハンガー            
１a  上部ロッド
１ｂ  上部ロッド軸部
１ｃ  下部ロッド
１ｄ  下部ロッド軸部
２      取付金具
２ａ    上部コ字型金具
２ｂ    下部Ｌ字型金具
２ｃ    ビス及び木ネジ
３      支持基板
４      スベリ止め
５      小物入れ
６      バンド吊りロッド
７      収納ボックス
７ａ    前板
７ｂ    後板
７ｃ    底板
８      スクリーン
９      キャスター
１０ａ  ズボンａ群
１０ｂ  ズボンｂ群
【図１】
0003117513.tif 000003
【図２】
0003117513.tif 000004
【図３】
0003117513.tif 000005
【図４】
0003117513.tif 000006
【図５】
0003117513.tif 000007
【図６】
0003117513.tif 000008
【図７】
0003117513.tif 000009
【図８】
0003117513.tif 000010